Podtech/llm-jp-corpus-v4-ja_patent huggingface dataset:
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
内部抽せん手段により所定の結果を決定した遊技では、所定の図柄組合せが停止可能であり、
所定の遊技区間では、通常遊技状態と、前記所定の結果を決定したときに所定の演出を実行可能な特殊遊技状態と、を設定可能であり、
前記通常遊技状態にて所定の条件を満たすと、前記特殊遊技状態を設定可能であり、
前記所定の遊技区間、且つ前記特殊遊技状態において、第１規定数で遊技を実行すると、前記所定の遊技区間における払出数に関する第１の情報を更新可能とし、
前記所定の遊技区間、且つ前記特殊遊技状態において、前記第１規定数で遊技を実行すると、前記特殊遊技状態の終了条件に関する第２の情報を更新可能とし、
前記所定の遊技区間、且つ前記特殊遊技状態において、第２規定数で遊技を実行すると、前記所定の遊技区間における払出数に関する第１の情報を更新可能とし、
前記所定の遊技区間、且つ前記特殊遊技状態において、前記第２規定数で遊技を実行すると、前記特殊遊技状態の終了条件に関する第２の情報を更新しないよう構成されており、
前記所定の遊技区間、且つ前記通常遊技状態において、前記第２規定数で遊技を実行すると、当該遊技においては前記所定の条件を満たさない
ことを特徴とする遊技機。
【手続補正２】
【補正対象書類名】明細書
【補正対象項目名】０００５
【補正方法】変更
【補正の内容】
【０００５】
本発明は、
内部抽せん手段により所定の結果を決定した遊技では、所定の図柄組合せが停止可能であり、
所定の遊技区間では、通常遊技状態と、前記所定の結果を決定したときに所定の演出を実行可能な特殊遊技状態と、を設定可能であり、
前記通常遊技状態にて所定の条件を満たすと、前記特殊遊技状態を設定可能であり、
前記所定の遊技区間、且つ前記特殊遊技状態において、第１規定数で遊技を実行すると、前記所定の遊技区間における払出数に関する第１の情報を更新可能とし、
前記所定の遊技区間、且つ前記特殊遊技状態において、前記第１規定数で遊技を実行すると、前記特殊遊技状態の終了条件に関する第２の情報を更新可能とし、
前記所定の遊技区間、且つ前記特殊遊技状態において、第２規定数で遊技を実行すると、前記所定の遊技区間における払出数に関する第１の情報を更新可能とし、
前記所定の遊技区間、且つ前記特殊遊技状態において、前記第２規定数で遊技を実行すると、前記特殊遊技状態の終了条件に関する第２の情報を更新しないよう構成されており、
前記所定の遊技区間、且つ前記通常遊技状態において、前記第２規定数で遊技を実行すると、当該遊技においては前記所定の条件を満たさない
ことを特徴とする。
また、本発明は、以下の解決手段によって上述の課題を解決する（かっこ書きで、対応する実施形態の構成を示す。）。なお、本願の当初請求項に係る発明は、後述する当初発明１〜１４のうち、当初発明９に相当する。
本発明（第１１実施形態）は、
停止ボタン（ストップスイッチ４２）の操作態様（正解押し順）を報知可能な報知遊技状態（ＡＴ）と、
前記報知遊技状態を実行可能な有利区間と、
有利区間であることを示す有利区間表示器（有利区間表示ＬＥＤ７７）と
を備え、
前記有利区間表示器が点灯している状況下において電源の供給が遮断された後、設定変更スイッチがオフの状態で電源の供給が再開したときは、割込み処理の起動後に前記有利区間表示器を点灯するための処理を実行可能とし、
前記有利区間表示器が点灯している状況下において電源の供給が遮断された後、設定変更スイッチがオンの状態で電源の供給が再開したときは、前記有利区間表示器を消灯するための処理を実行した後、設定変更処理に移行可能とする
ことを特徴とする態様であってもよい。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
内部抽せん手段により所定の結果を決定した遊技では、所定の図柄組合せが停止可能であり、
所定の遊技区間では、通常遊技状態と、前記所定の結果を決定したときに所定の演出を実行可能な特殊遊技状態と、を設定可能であり、
前記通常遊技状態にて所定の条件を満たすと、前記特殊遊技状態を設定可能であり、
前記所定の遊技区間、且つ前記特殊遊技状態において、第１規定数で遊技を実行すると、前記所定の遊技区間の終了条件に関する第１の情報を更新可能とし、
前記所定の遊技区間、且つ前記特殊遊技状態において、前記第１規定数で遊技を実行すると、前記特殊遊技状態の終了条件に関する第２の情報を更新可能とし、
前記所定の遊技区間、且つ前記特殊遊技状態において、第２規定数で遊技を実行すると、前記所定の遊技区間の終了条件に関する第１の情報を更新可能とし、
前記所定の遊技区間、且つ前記特殊遊技状態において、前記第２規定数で遊技を実行すると、前記特殊遊技状態の終了条件に関する第２の情報を更新しないよう構成されており、
前記所定の遊技区間、且つ前記通常遊技状態において、前記第２規定数で遊技を実行すると、当該遊技においては前記所定の条件を満たさない
ことを特徴とする遊技機。
【手続補正２】
【補正対象書類名】明細書
【補正対象項目名】０００５
【補正方法】変更
【補正の内容】
【０００５】
本発明は、
内部抽せん手段により所定の結果を決定した遊技では、所定の図柄組合せが停止可能であり、
所定の遊技区間では、通常遊技状態と、前記所定の結果を決定したときに所定の演出を実行可能な特殊遊技状態と、を設定可能であり、
前記通常遊技状態にて所定の条件を満たすと、前記特殊遊技状態を設定可能であり、
前記所定の遊技区間、且つ前記特殊遊技状態において、第１規定数で遊技を実行すると、前記所定の遊技区間の終了条件に関する第１の情報を更新可能とし、
前記所定の遊技区間、且つ前記特殊遊技状態において、前記第１規定数で遊技を実行すると、前記特殊遊技状態の終了条件に関する第２の情報を更新可能とし、
前記所定の遊技区間、且つ前記特殊遊技状態において、第２規定数で遊技を実行すると、前記所定の遊技区間の終了条件に関する第１の情報を更新可能とし、
前記所定の遊技区間、且つ前記特殊遊技状態において、前記第２規定数で遊技を実行すると、前記特殊遊技状態の終了条件に関する第２の情報を更新しないよう構成されており、
前記所定の遊技区間、且つ前記通常遊技状態において、前記第２規定数で遊技を実行すると、当該遊技においては前記所定の条件を満たさない
ことを特徴とする。
また、本発明は、以下の解決手段によって上述の課題を解決する（かっこ書きで、対応する実施形態の構成を示す。）。なお、本願の当初請求項に係る発明は、後述する当初発明１〜１４のうち、当初発明１０に相当する。
本発明（第１３実施形態）は、
４つのリール（３１Ａ〜３１Ｄ）と、
前記４つのリールのそれぞれに対応する４つの停止ボタン（ストップスイッチ４２Ａ〜４２Ｄ）と
を備え、
４つの停止ボタンより上方に、所定の操作ボタン（２４）を配置し、
前記所定の操作ボタンの左端から垂直下方向に、左端側の前記停止ボタン（ストップスイッチ４２Ａ）の少なくとも一部が位置するようにし、
前記所定の操作ボタンの右端から垂直下方向に、右端側の前記停止ボタン（ストップスイッチ４２Ｄ）の少なくとも一部が位置するようにする
ことを特徴とする態様であってもよい。
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
合わせて固定されるように構成されている上部ハウジングおよび下部ハウジングを有する本体であって、前記上部ハウジングは少なくとも１つの外壁および少なくとも１つの概して垂直な内壁を有する前記本体と、前記本体内に画定されかつ加湿チャンバを受け入れるように適合された加湿コンパートメントと、前記本体内に配置された流れ発生器と、前記本体内の前記少なくとも１つの外壁と前記少なくとも１つの概して垂直な内壁との間に配置された液体収容コンパートメントとを備え、前記液体収容コンパートメントが、前記流れ発生器および前記加湿コンパートメントの両方に流体接続されており、それにより、前記流れ発生器から前記加湿コンパートメントへのガス流路が前記液体収容コンパートメントを通過し、前記液体収容コンパートメントが、前記液体収容コンパートメントから前記加湿コンパートメントに流れ出るガス流用の出口を画定する第１開口部と、前記流れ発生器から前記液体収容コンパートメントに流れ込むガス流用の入口を画定する第２開口部とを備えている、呼吸補助装置。
【請求項２】
前記液体収容コンパートメントが、前記本体の前記上部ハウジングの一部である前記液体収容コンパートメントの側面を画定する垂直壁を備えている、請求項１に記載の呼吸補助装置。
【請求項３】
前記液体収容コンパートメントが、前記本体の前記下部ハウジングの一部である下面を備えている、請求項１または２に記載の呼吸補助装置。
【請求項４】
前記液体収容コンパートメントの前記垂直壁の一部が、前記加湿コンパートメントを画定する垂直壁の一部に対応する、請求項２または３に記載の呼吸補助装置。
【請求項５】
前記第１開口部が、前記加湿コンパートメントの前記垂直壁に対応する前記液体収容コンパートメントの前記垂直壁の前記一部を通って延在している、請求項４に記載の呼吸補助装置。
【請求項６】
前記液体収容コンパートメントの前記垂直壁の一部が、前記上部ハウジングによって提供される前記本体の外壁の一部に対応する、請求項２〜５のいずれか一項に記載の呼吸補助装置。
【請求項７】
前記液体収容コンパートメントが、前記液体収容コンパートメントの前記下面の周縁部を画定しかつ前記本体の前記下部ハウジングから延在する畝状部を備え、前記畝状部が、前記上部ハウジングに設けられた前記液体収容コンパートメントの前記垂直壁の構成に一致し、それにより、前記本体が組み立てられるとき、前記下部ハウジングの前記畝状部と前記上部ハウジングの前記垂直壁とが互いに当接して前記液体収容コンパートメントを形成する、請求項２〜５のいずれか一項に記載の呼吸補助装置。
【請求項８】
前記液体収容コンパートメントの前記畝状部が、前記液体収容コンパートメントのリザーバを画定しかつそれを取り囲んでいる、請求項７に記載の呼吸補助装置。
【請求項９】
前記液体収容コンパートメントの前記畝状部が前記第２開口部を包囲している、請求項７または８に記載の呼吸補助装置。
【請求項１０】
シールが、前記液体収容コンパートメントを形成する前記下部ハウジングの前記畝状部と前記上部ハウジングの前記垂直壁との間に設けられている、請求項７〜９のいずれか一項に記載の呼吸補助装置。
【請求項１１】
前記畝状部が溝を含み、前記シールが前記溝内に設けられている、請求項１０に記載の呼吸補助装置。
【請求項１２】
前記流れ発生器が、前記本体の前記下部ハウジングにまたはその中に取り付けられている、請求項１〜１１のいずれか一項に記載の呼吸補助装置。
【請求項１３】
前記液体収容コンパートメントの前記第１開口部および前記第２開口部が、少なくとも２つの直交する空間方向において互いにずれている、請求項１〜１２のいずれか一項に記載の呼吸補助装置。
【請求項１４】
前記液体収容コンパートメントの前記第１開口部および前記第２開口部が、水平方向にかつ垂直方向にずれている、請求項１３に記載の呼吸補助装置。
【請求項１５】
前記液体収容コンパートメントの前記第１開口部および前記第２開口部が、３つの直交する空間方向において互いにずれている、請求項１３または１４に記載の呼吸補助装置。
【請求項１６】
前記液体収容コンパートメントの前記第１開口部および前記第２開口部が、２つの直交する方向において水平方向にかつ垂直方向にずれている、請求項１５に記載の呼吸補助装置。
【請求項１７】
前記第１開口部のいずれの部分も前記第２開口部に垂直方向に位置合わせされていない、請求項１３〜１６のいずれか一項に記載の呼吸補助装置。
【請求項１８】
前記第１開口部のいずれの部分も前記第２開口部に水平方向に位置合わせされていない、請求項１３〜１７のいずれか一項に記載の呼吸補助装置。
【請求項１９】
前記第２開口部が、前記ガス流路の一部を形成する前記本体内の１つまたは複数の通路によって、前記流れ発生器に流体接続されている、請求項１〜１８のいずれか一項に記載の呼吸補助装置。
【請求項２０】
前記液体収容コンパートメントが、前記本体内の前記流れ発生器と前記加湿コンパートメントとの間に介挿されている、請求項１〜１９のいずれか一項に記載の呼吸補助装置。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
内部抽せん手段により所定の結果を決定した遊技では、所定の図柄組合せが停止可能であり、
所定の遊技区間では、通常遊技状態と、前記所定の結果を決定したときに所定の演出を実行可能な特殊遊技状態と、を設定可能であり、
前記通常遊技状態にて所定の条件を満たすと、前記特殊遊技状態を設定可能であり、
前記所定の遊技区間、且つ前記特殊遊技状態において、第１規定数で遊技を実行すると、前記所定の遊技区間における遊技回数に関する第１の情報を更新可能とし、
前記所定の遊技区間、且つ前記特殊遊技状態において、前記第１規定数で遊技を実行すると、前記特殊遊技状態の終了条件に関する第２の情報を更新可能とし、
前記所定の遊技区間、且つ前記特殊遊技状態において、第２規定数で遊技を実行すると、前記所定の遊技区間における遊技回数に関する第１の情報を更新可能とし、
前記所定の遊技区間、且つ前記特殊遊技状態において、前記第２規定数で遊技を実行すると、前記特殊遊技状態の終了条件に関する第２の情報を更新しないよう構成されており、
前記所定の遊技区間、且つ前記通常遊技状態において、前記第２規定数で遊技を実行すると、当該遊技においては前記所定の条件を満たさない
ことを特徴とする遊技機。
【手続補正２】
【補正対象書類名】明細書
【補正対象項目名】０００５
【補正方法】変更
【補正の内容】
【０００５】
本発明は、
内部抽せん手段により所定の結果を決定した遊技では、所定の図柄組合せが停止可能であり、
所定の遊技区間では、通常遊技状態と、前記所定の結果を決定したときに所定の演出を実行可能な特殊遊技状態と、を設定可能であり、
前記通常遊技状態にて所定の条件を満たすと、前記特殊遊技状態を設定可能であり、
前記所定の遊技区間、且つ前記特殊遊技状態において、第１規定数で遊技を実行すると、前記所定の遊技区間における遊技回数に関する第１の情報を更新可能とし、
前記所定の遊技区間、且つ前記特殊遊技状態において、前記第１規定数で遊技を実行すると、前記特殊遊技状態の終了条件に関する第２の情報を更新可能とし、
前記所定の遊技区間、且つ前記特殊遊技状態において、第２規定数で遊技を実行すると、前記所定の遊技区間における遊技回数に関する第１の情報を更新可能とし、
前記所定の遊技区間、且つ前記特殊遊技状態において、前記第２規定数で遊技を実行すると、前記特殊遊技状態の終了条件に関する第２の情報を更新しないよう構成されており、
前記所定の遊技区間、且つ前記通常遊技状態において、前記第２規定数で遊技を実行すると、当該遊技においては前記所定の条件を満たさない
ことを特徴とする。
また、本発明は、以下の解決手段によって上述の課題を解決する（かっこ書きで、対応する実施形態の構成を示す。）。なお、本願の当初請求項に係る発明は、後述する当初発明１〜１４のうち、当初発明１２に相当する。
本発明（第１１実施形態）は、
停止ボタン（ストップスイッチ４２）の操作態様（正解押し順）を報知可能な報知遊技状態（ＡＴ）と、
前記報知遊技状態を実行可能な有利区間と、
第１制御手段（メイン制御基板５０）において、遊技価値のベット数と払出し（クレジットへの加算を含む。以下同じ。）数との差を示す差数の累積値であって最小値を「０」とした値を記憶する第１差数カウンタ（差数カウンタ）と、
第２制御手段（サブ制御基板８０）において、遊技価値のベット数と払出し数との差を示す差数の累積値を記憶する第２差数カウンタ（サブ差枚数カウンタ）と
を備え、
有利区間の終了時には、第１差数カウンタをクリアし（図５１又は図５２中、ステップＳ４３５）、第２差数カウンタをクリアしない場合を有する
ことを特徴とする態様であってもよい。
【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
着用者の心電図（ＥＣＧ）を連続的に監視するよう構成された衣服であって、
前記シャツは：
織物を含む衣服本体であって、前記本体は、前記着用者の胴体に対して前記シャツを保持するための圧縮衣服として構成される、衣服本体；
前記衣服本体上において、前記シャツが着用された場合に前記着用者の胸部の左胸部領域を横断して延在する第１の曲線に配設された、第１の複数の電気センサであって、各前記電気センサは、前記本体の内側表面上に印刷された導電性インク電極を備える、第１の複数の電気センサ；
前記本体上において、前記第２の曲線に隣接する第２の曲線に配設された、第２の複数の電気センサ；
前記本体の前記内側表面上に印刷された導電性インクから形成された、右腕電極；並びに
前記本体の前記内側表面上に印刷された前記導電性インクから形成された、左腕電極
を備え、
各電気センサは、前記電気センサからセンサマネージャユニットへとデータを通信するよう構成された、センサモジュールインタフェースに接続される、
衣服。
【請求項２】
前記第１の複数の電気センサは、６個の電気センサを含む、
請求項１に記載の衣服。
【請求項３】
前記第２の複数の電気センサは、６個の電気センサを含む、
請求項１に記載の衣服。
【請求項４】
前記電気センサは、縫い付けられたジグザグコネクタによって前記センサモジュールインタフェースに接続され、
前記縫い付けられたジグザグコネクタは、前記衣服本体に付着された別個の圧縮織物片上に形成される、
請求項１に記載の衣服。
【請求項５】
複数の冗長リードを備え、
各冗長リードは、当該冗長リードへのＥＣＧ信号を決定するための電極からの信号を検出可能である、
請求項１に記載の衣服。
【請求項６】
前記センサモジュールは、前記複数の冗長リードのいずれの電極の組を、ＥＣＧを検出するために使用するかを決定可能である、
請求項５に記載の衣服。
【請求項７】
導電性インクが含浸された弾性リボン、前記弾性リボンの各端部の電気的コネクタ、及び圧縮織物片を含むカバーを備える、少なくとも１つの呼吸センサを更に備える、
請求項１に記載の衣服。
【請求項８】
前記第１の複数の電気センサの上に着用されるよう構成された、支持ハーネスを更に備える、
請求項１に記載の衣服。
【請求項９】
前記支持ハーネスは、前記衣服本体に統合される、
請求項８に記載の衣服。
【請求項１０】
前記支持ハーネスは、前記衣服本体から分離しており、前記衣服本体の上に着用されるよう構成される、
請求項８に記載の衣服。
【請求項１１】
前記支持ハーネスは、弾性領域で接続された複数の剛性領域を備える、
請求項８に記載の衣服。
【請求項１２】
前記支持ハーネスはストラップであり、
前記拡張性支持構造体は、男性の胸部に使用するためにサイズ設定される、
請求項８に記載の衣服。
【請求項１３】
前記支持ハーネスはブラジャーである、
請求項８に記載の衣服。
【請求項１４】
前記拡張性支持構造体は、女性の胸部に使用するためにサイズ設定される、
請求項８に記載の衣服。
【請求項１５】
導電性インクが含浸された弾性リボン、前記弾性リボンの各端部の電気的コネクタ、及び圧縮織物片を含むカバーを備える、少なくとも１つの呼吸センサを更に備える、
請求項１に記載の衣服。
【請求項１６】
各前記電気センサはそれぞれ：
接着剤の層；
約４０〜６０％の導電性粒子と、約３０〜５０％のバインダと、約３〜７％の溶媒と、約３〜７％の濃厚剤とを有する、導電性インクの層；及び
前記導電性インクと前記接着剤との間の勾配領域
を含み、
前記勾配領域は、前記導電性インクと前記接着剤との不均一な混合物を含み、前記導電性インクの濃度は、前記導電性インクの層に近い領域から、前記弾性接着剤の層に向かって低下する、
請求項１に記載の衣服。
【請求項１７】
前記少なくとも１つの呼吸センサは、被験者が呼吸する際に、前記センサを通る前記抵抗を変化させるよう構成される、
請求項１に記載の衣服。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
モータによって水平方向を軸として回転する回転ブラシを有し、
前記回転ブラシは、互いに隣接する植毛と、不織布又は弾性材料からなるブレード部材を有し、
前記植毛と、前記不織布又は前記ブレード部材とは、根元が一体となっており、
前記不織布又は前記ブレード部材の長さは、前記植毛の少なくとも50%以上の長さを有し、かつ、前記植毛の長さより短い電気掃除機。
【請求項２】
前記根元を共有している前記植毛と、前記不織布又は前記ブレード部材それぞれは、前記回転ブラシが回転する場合、植毛よりも先に前記不織布又は前記ブレード部材が床面に接触するように配置されている請求項1に記載の電気掃除機。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
混合及び注入装置であって、
中に配置された第１のチャンバ及び第２のチャンバを有するハウジングと、
前記第１のチャンバ内に提供された第１の薬剤成分であって、前記第１の薬剤成分は、液体形態において提供される、第１の薬剤成分と、
前記第２のチャンバ内に提供された第２の薬剤成分であって、前記第２の薬剤成分は、乾燥形態において提供される、第２の薬剤成分と、
前記第１のチャンバと前記第２のチャンバとの間に配置されている弁アセンブリであって、前記弁アセンブリは、前記第１のチャンバと前記第２のチャンバとの間の流体連通を選択的に可能にするように構成されている、弁アセンブリと、
前記第１のチャンバに関連付けられた第１の変位機構及び前記第２のチャンバに関連付けられた第２の変位機構と、
針及び持針器を有する針アセンブリであって、前記針アセンブリは、初めは流体非連通状態で前記第２のチャンバの周りに設けられる、針アセンブリと、
作動機構であって、前記作動機構は、前記弁アセンブリを開かせるように構成され、かつ、前記第１の変位を前記第１のチャンバ内へと駆動するように構成された事前装填されたエネルギー源からのエネルギーを放出するように構成され、それゆえ、液体形態の前記第１の薬剤成分を前記第２のチャンバに押し込み、それによって、乾燥形態の前記第２の薬剤成分と混合する、作動機構と、
前記事前装填されたエネルギー源からの更なるエネルギーを放出することにより、前記第２の変位を前記第２のチャンバ内へと駆動し、前記第２のチャンバと前記針アセンブリとの間の流体連通を生じさせ、前記第２のチャンバからの流体を前記針アセンブリを通って押し込むように構成されたトリガ機構と
を備える、混合及び注入装置。
【請求項２】
前記第２のチャンバを前記針アセンブリと流体非連通状態にさせる、前記針アセンブリと前記第２のチャンバとの間に配置された隔壁を更に備える、請求項１に記載の混合及び注入装置。
【請求項３】
前記針は、前記トリガ機構のトリガ後に前記隔壁を刺通するように構成された刺通端部を有する、請求項２に記載の混合及び注入装置。
【請求項４】
前記隔壁は、前記第２のチャンバの端部から延在する隔壁突出部において保持される、請求項２に記載の混合及び注入装置。
【請求項５】
前記持針器は、前記隔壁突出部の長さに沿う前記持針器の軸方向並進を可能にする係合フランジを更に含む、請求項４に記載の混合及び注入装置。
【請求項６】
前記持針器の前記係合フランジは、前記持針器の内部周縁面から内側に放射状に延在し、前記隔壁突出部の対応する係合フランジは、前記隔壁突出部の外部周縁面から外側に放射状に延在する、請求項５に記載の混合及び注入装置。
【請求項７】
前記針アセンブリに取り付けられた取り外し可能な無菌バリアを更に備え、前記無菌バリアを取り外すために必要な離脱力は、前記針アセンブリが取り付けられる第２のチャンバの位置保持力よりも小さい、請求項１に記載の混合及び注入装置。
【請求項８】
前記位置保持力は、前記離脱力によって生成される真空を含む、請求項７に記載の混合及び注入装置。
【請求項９】
前記トリガ機構の一部分を形成する針シールドを更に備え、
前記針シールドは、バンプトリガとして動作し、前記針シールドは、注入部位に対する前記針シールドの押し下げ後、エネルギーの一部分が、前記事前装填されたエネルギー源から放出され、前記エネルギーの一部分が、前記持針器を前記注入部位に向かって推し進め、かつ前記針シールドに当接するように、動作的に構成され、前記放出されたエネルギーはまた、前記針アセンブリと前記第２のチャンバとの間に配置された隔壁を前記針の前記近位端に対して駆動させ、それゆえ、前記針に前記隔壁を貫通させ、前記第２のチャンバから前記針アセンブリへの流体連通を可能にし、前記針アセンブリを通して前記第２のチャンバから流体を変位させる、請求項１に記載の混合及び注入装置。
【請求項１０】
前記持針器は、円筒形状であり、前記隔壁突出部は、円筒形状であり、前記持針器内に入れ子になる、請求項４に記載の混合及び注入装置。
【請求項１１】
前記針の近位端は、収容状態において前記隔壁内に初めに埋め込まれる、請求項４に記載の混合及び注入装置。
【請求項１２】
前記弁は、回転弁である、請求項１に記載の混合及び注入装置。
【請求項１３】
前記弁は、摺動弁である、請求項１に記載の混合及び注入装置。
【請求項１４】
前記第１及び第２のチャンバは、別々の及び別個の側壁を有する、請求項１に記載の混合及び注入装置。
【請求項１５】
前記第１及び第２のチャンバは、互いに独立して移動することができる、請求項１４に記載の混合及び注入装置。
【請求項１６】
前記作動機構は、前記弁と直接機械連通する、請求項１に記載の混合及び注入装置。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
表示を行う表示手段と、
前記表示手段に画像を表示する制御を行う表示制御手段と、を備え、
前記表示制御手段は、
前記表示手段に、遊技の進行に関する画像として第１画像と第２画像とを表示可能であり、
前記表示手段に、演出用画像として、所定画像と擬似役物画像とを表示可能であり、
前記表示手段における優先順位が、前記所定画像より第１画像の方が高く、前記第１画像より前記擬似役物画像の方が高く、前記擬似役物画像より前記第２画像の方が高くなるようにそれらの画像を表示可能であり、
前記擬似役物画像を、前記第１画像上を通過させるとともに、前記第２画像上は通過しないように表示可能であり、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
遊技を行い、遊技者にとって有利な有利状態に制御可能な遊技機（例えばパチンコ遊技機１）であって、
表示を行う表示手段（例えば画像表示装置５）と、
前記表示手段に画像を表示する制御を行う表示制御手段（例えば演出制御用ＣＰＵ１２０）と、を備え、
前記表示制御手段は、
前記表示手段に、遊技の進行に関する画像として第１画像（例えば保留表示、アクティブ表示、飾り図柄等）と第２画像（例えば第４図柄、小図柄等）とを表示可能であり、
前記表示手段に、演出用画像として、所定画像（例えば背景画像９６ＡＫ０１４、予告演出やリーチ演出のキャラクタ画像、飾り図柄、対応表示領域９６ＡＫ０１０等）と擬似役物画像（例えば擬似役物画像９６ＡＫ０２０）とを表示可能であり、
前記表示手段における優先順位が、前記所定画像より第１画像の方が高く、前記第１画像より前記擬似役物画像の方が高く、前記擬似役物画像より前記第２画像の方が高くなるようにそれらの画像を表示可能であり、
前記擬似役物画像を、前記第１画像上を通過させるとともに、前記第２画像上は通過しないように表示可能であり（例えば図２１−３）、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする。
このような構成によれば、演出効果を高めることができる。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技に関する説明を行う説明演出を実行可能な説明演出実行手段と、
有利状態に制御されることを示唆する有利示唆演出を実行可能な有利示唆演出実行手段と、を備え、
前記有利示唆演出実行手段は、実行中の前記説明演出を中止して、前記有利示唆演出を実行可能であり、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする遊技機。
【手続補正２】
【補正対象書類名】明細書
【補正対象項目名】０００６
【補正方法】変更
【補正の内容】
【０００６】
（１）本発明の一態様による遊技機は、遊技者にとって有利な有利状態（例えば、大当り状態等）に制御可能な遊技機（例えば、パチンコ遊技機１等）であって、遊技に関する説明を行う説明演出（例えば、キャラクタ出現予告演出の説明を行う説明演出Ａおよびカットイン予告説明の説明を行う説明演出Ｂ等）を実行可能な説明演出実行手段（例えば、演出制御用ＣＰＵ１２０等）と、有利状態に制御されることを示唆する有利示唆演出（例えば、ＳＰリーチ演出等）を実行可能な有利示唆演出実行手段（例えば、演出制御用ＣＰＵ１２０等）と、を備え、前記有利示唆演出実行手段は、実行中の前記説明演出を中止して、前記有利示唆演出を実行可能であり（例えば、説明演出に中止ブロックを設け、説明演出を中止してリーチ演出およびＳＰリーチ演出を実行可能である等）、さらに、遊技者にとっての有利度が異なる複数の設定値のうちのいずれかの設定値に設定可能な設定手段と、設定された設定値に応じて異なる割合により前記有利状態に制御することを決定可能な決定手段と、いずれの設定値に設定されたかを特定可能な設定値情報を出力可能な情報出力手段と、前記情報出力手段から出力された設定値情報にもとづいて、示唆演出を実行可能な演出実行手段と、可変表示を実行可能な可変表示実行手段と、を備え、前記演出実行手段は、前記情報出力手段から出力された設定値情報が正常でない場合、前記複数の設定値のうち遊技者にとって有利度が低い所定の設定値に対応した割合により前記示唆演出を実行可能であり、前記可変表示実行手段は、前記示唆演出が実行されるときと前記示唆演出が実行されないときとで共通に可変表示を実行可能であることを特徴とする。
【手続補正３】
【補正対象書類名】明細書
【補正対象項目名】０００７
【補正方法】変更
【補正の内容】
【０００７】
上記構成によれば、遊技興趣の低下を抑制することができる。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
複数の可動体と、
前記可動体の動作を個々に制御可能な可動体制御手段と、
所定条件が成立したことにもとづいて、特別報知を実行可能な特別報知手段と、を備え、
前記特別報知手段は、前記特別報知として、前記可動体の各々が正常に動作しているか否かを確認可能な報知を実行可能であり、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、
遊技者にとって有利な有利状態に制御可能な遊技機（例えば、パチンコ遊技機１）であって、
複数の可動体（例えば、第１可動体１１６ＳＧ０３２Ｌ、第２可動体１１６ＳＧ０３２Ｒ、第３可動体１１６ＳＧ０３２Ｕ、第４可動体１１６ＳＧ０３２Ｄ）と、
前記可動体の動作を個々に制御可能な可動体制御手段（例えば、演出制御用ＣＰＵ１２０が可動体動作演出として第１可動体１１６ＳＧ０３２Ｌ、第２可動体１１６ＳＧ０３２Ｒ、第３可動体１１６ＳＧ０３２Ｕ、第４可動体１１６ＳＧ０３２Ｄを個別に動作可能な部分）と、
所定条件が成立したこと（例えば、設定切替スイッチ１１６ＳＧ４００のチャンネルが「Ｃ」にセットされたこと）にもとづいて、特別報知を実行可能な特別報知手段（例えば、演出制御用ＣＰＵ１２０が図２２−９に示す設定切替スイッチ関連処理の一部として可動体動作チェック処理や可動体動作再チェック処理を実行する部分）と、を備え、
前記特別報知手段は、前記特別報知として、前記可動体の各々が正常に動作しているか否かを確認可能な報知を実行可能であり（例えば、動作チェック結果画像における各可動体の原点位置センサや演出位置センサの欄に「○」、「△」、「×」等を表示する部）、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能であることを特徴としている。
この特徴によれば、どの可動体が正常に動作しているか否かを把握することができる。また、設定された設定値にもとづいて有利状態の制御を実行可能に構成した遊技機において、遊技に対する興趣の低下を防止することができる。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
金属固定部を有する特定電子部品が少なくとも実装され、実装される各電子部品を電気接続するための配線パターンが形成された基板を有し、
前記基板には、前記金属固定部を低温溶融金属にて固定するための部品固定部が形成されており、
前記部品固定部は、前記配線パターンのいずれかに電気接続されており、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする遊技機。
【手続補正２】
【補正対象書類名】明細書
【補正対象項目名】０００６
【補正方法】変更
【補正の内容】
【０００６】
前記課題を解決するために、本発明の手段１に記載の遊技機は、
遊技者にとって有利な有利状態に制御可能な遊技機（例えば、パチンコ遊技機１）であって、
金属固定部（例えば、金属固定部６５１）を有する特定電子部品（例えば、コネクタ）が少なくとも実装され、実装される各電子部品を電気接続するための配線パターンが形成された基板（例えば、ＬＥＤ基板２７５）を有し、
前記基板には、前記金属固定部を低温溶融金属（例えば、半田）にて固定するための部品固定部（例えば、固定パッドＰ）が形成されており、
前記部品固定部は、前記配線パターン（例えば、ＧＮＤパターン）のいずれかに電気接続されており、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴としている。
この特徴によれば、部品固定部を配線パターンの一部として形成することができるため、部品固定部を配線パターンとは個別に設ける必要がないので、固定部の面積を確保しつつ、配線パターンを良好に設けることができる。また、設定された設定値にもとづいて有利状態の制御を実行可能に構成した遊技機において、遊技に対する興趣の低下を防止することができる。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
可変表示を実行可能な可変表示実行手段と、
通常状態よりも短い可変表示時間にて可変表示を実行する割合が高い時短状態へ制御可能な状態制御手段と、
未だ開始していない可変表示に関する情報を保留記憶情報として記憶する保留記憶手段と、
前記保留記憶手段に記憶されている保留記憶情報の数が特定数に達したときに、前記特定数に達したことを報知する報知演出を実行する報知演出実行手段と、を備え、
前記報知演出実行手段は、前記時短状態に制御中、前記報知演出の実行を制限し、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、
可変表示を行い、遊技者にとって有利な有利状態に制御可能な遊技機（例えばパチンコ遊技機１など）であって、
可変表示を実行可能な可変表示実行手段と、
通常状態よりも短い可変表示時間にて可変表示を実行する割合が高い時短状態へ制御可能な状態制御手段（例えば時短状態に制御可能なＣＰＵ１０３など）と、
未だ開始していない可変表示に関する情報を保留記憶情報として記憶する保留記憶手段（例えば始動入賞が発生すると、表示結果（大当り種別を含む）や変動パターンを決定するための乱数値が抽出され、保留情報として記憶するなど）と、
前記保留記憶手段に記憶されている保留記憶情報の数が特定数に達したときに、前記特定数に達したことを報知する報知演出を実行する報知演出実行手段（例えばステップＳ９１ＡＫＳ００７の処理を実行する演出制御用ＣＰＵ１２０など）と、を備え、
前記報知演出実行手段は、前記時短状態に制御中、前記報知演出の実行を制限し（例えばステップ９１ＡＫＳ００５にてＹｅｓと判定した後にステップ９１ＡＫＳ００８の処理を実行するなど）、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする。
【手続補正３】
【補正対象書類名】明細書
【補正対象項目名】０００８
【補正方法】変更
【補正の内容】
【０００８】
このような構成によれば、遊技興趣の低下を防止することができる。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
遊技を行い、遊技に関する演出表示を表示可能な表示手段を備え、遊技者にとって有利な有利状態に制御可能な遊技機であって、
遊技者の動作を検出する検出手段と、
前記検出手段による動作の検出が有効であることを示す有効表示を前記表示手段に表示する有効表示手段と、
前記有効表示手段により表示された有効表示を含む演出表示の少なくとも一部を視認困難にする視認困難演出を行う視認困難演出手段と、
前記有効表示として第１有効表示が表示されている状態で、前記検出手段により動作が検出された場合に、第１演出表示を表示する第１演出を行うことが可能な第１演出手段と、
前記有効表示として複数の選択肢から一の選択肢を選択する動作が有効であることを示す第２有効表示が表示されている状態で、前記検出手段により動作が検出された場合に、該動作の検出に応じて選択の結果を特定可能な第２演出表示を表示する第２演出を行うことが可能な第２演出手段と、を備え、
前記視認困難演出手段は、前記第１有効表示が表示され、前記第１演出手段により第１演出が行われる場合は視認困難演出を行うことが可能であり、前記第２有効表示が表示され、前記第２演出手段により第２演出が行われる場合は視認困難演出を行わず、
さらに、
遊技者にとっての有利度が異なる複数の設定値のうちのいずれかの設定値に設定可能な設定手段と、
設定された設定値に応じて異なる割合により前記有利状態に制御することを決定可能な決定手段と、
いずれの設定値に設定されたかを特定可能な設定値情報を出力可能な情報出力手段と、
前記情報出力手段から出力された設定値情報にもとづいて、示唆演出を実行可能な演出実行手段と、
可変表示を実行可能な可変表示実行手段と、を備え、
前記演出実行手段は、前記情報出力手段から出力された設定値情報が正常でない場合、前記複数の設定値のうち遊技者にとって有利度が低い所定の設定値に対応した割合により前記示唆演出を実行可能であり、
前記可変表示実行手段は、前記示唆演出が実行されるときと前記示唆演出が実行されないときとで共通に可変表示を実行可能である
ことを特徴とする遊技機。
【手続補正２】
【補正対象書類名】明細書
【補正対象項目名】０００６
【補正方法】変更
【補正の内容】
【０００６】
（１）上記目的を達成するため、本願発明に係る遊技機は、遊技を行い、遊技に関する演出表示を表示可能な表示手段（例えば、画像表示装置５等）を備え、遊技者にとって有利な有利状態に制御可能な遊技機（例えば、パチンコ遊技機１等）であって、遊技者の動作を検出する検出手段（例えば、コントローラセンサユニット３５Ａ、プッシュセンサ３５Ｂ等）と、前記検出手段による動作の検出が有効であることを示す有効表示（例えば、有効表示６４ＳＨ００３、６４ＳＨ００５等）を前記表示手段に表示する有効表示手段（例えば、演出制御用ＣＰＵ１２０等）と、前記有効表示手段により表示された有効表示を含む演出表示（例えば、促進演出における表示等）の少なくとも一部を視認困難にする視認困難演出を行う視認困難演出手段（例えば、演出制御用ＣＰＵ１２０等）と、前記有効表示として第１有効表示（例えば、有効表示６４ＳＨ００５等）が表示されている状態で、前記検出手段により動作が検出された場合に、第１演出表示（例えば、宝箱と文字列等）を表示する第１演出（例えば、ボタン演出における対応演出等）を行うことが可能な第１演出手段（例えば、演出制御用ＣＰＵ１２０等）と、前記有効表示として複数の選択肢から一の選択肢を選択する動作が有効であることを示す第２有効表示（例えば、有効表示６４ＳＨ００３等）が表示されている状態で、前記検出手段により動作が検出された場合に、該動作の検出に応じて選択の結果（例えば、図２０−１（Ｂ２）に示される選択結果（例えば、選択されたキャラクタ）等）を特定可能な第２演出表示を表示する第２演出（例えば、選択演出における対応演出）を行うことが可能な第２演出手段と（例えば、演出制御用ＣＰＵ１２０等）、を備え、前記視認困難演出手段は、前記第１有効表示が表示され、前記第１演出手段により第１演出が行われる場合は視認困難演出を行うことが可能であり（例えば、図２０−４の６４ＳＨ１０４及び６４ＳＨ１０５で肯定判定した場合にボタン演出と視認困難演出を行う、等）、前記第２有効表示が表示され、前記第２演出手段により第２演出が行われる場合は視認困難演出を行わず（例えば、図２０−４の６４ＳＨ１０１で肯定判定された場合、または６４ＳＨ１０４で否定判定され、６４ＳＨ１１０で肯定判定された場合には、選択演出が行われ、かつ視認困難演出は行われない、等）、さらに、遊技者にとっての有利度が異なる複数の設定値のうちのいずれかの設定値に設定可能な設定手段と、設定された設定値に応じて異なる割合により前記有利状態に制御することを決定可能な決定手段と、いずれの設定値に設定されたかを特定可能な設定値情報を出力可能な情報出力手段と、前記情報出力手段から出力された設定値情報にもとづいて、示唆演出を実行可能な演出実行手段と、可変表示を実行可能な可変表示実行手段と、を備え、前記演出実行手段は、前記情報出力手段から出力された設定値情報が正常でない場合、前記複数の設定値のうち遊技者にとって有利度が低い所定の設定値に対応した割合により前記示唆演出を実行可能であり、前記可変表示実行手段は、前記示唆演出が実行されるときと前記示唆演出が実行されないときとで共通に可変表示を実行可能であることを特徴としている。
【手続補正３】
【補正対象書類名】明細書
【補正対象項目名】０００７
【補正方法】変更
【補正の内容】
【０００７】
このような構成によれば、遊技者の興趣低下を防止することができる。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
合成樹脂製の基材本体と、基材本体の一方の面にＣＶＤ法により形成されたシリカ蒸着膜とを有する基材を準備する工程と、
シリカ蒸着膜側にシリコーンゴム層を積層する工程と、
基材を加熱する工程とを備え、
ＣＶＤ法により形成されたシリカ蒸着膜が、基材本体と密着して基材本体とシリコーンゴムとの間のアンカー効果をもつ、ことを特徴とするゴム製製品の製造方法。
【請求項２】
基材を加熱する際、基材本体のシリカ蒸着膜上のシリコーンゴムを加熱させ、当該シリコーンゴムをシリカ蒸着膜に接着させることを特徴とする請求項１記載のゴム製製品の製造方法。
【請求項３】
シリコ−ンゴムをシリカ蒸着膜に接着させる工程は、基材本体のシリカ蒸着膜と反対側の面からレーザ光を照射し、照射されたレーザ光が基材本体とシリカ蒸着膜を通過してシリコーンゴムを加熱させ、当該シリコ−ンゴムをシリカ蒸着膜に接着させる、ことを特徴とする、請求項２記載のゴム製製品の製造方法。
【請求項４】
基材本体はポリエチレンテレフタレート、ポリカーボネート、アクリル、ナイロンのいずれかを含むことを特徴とする請求項１乃至３のいずれか記載のゴム製製品の製造方法。